(57)【要約】【課題】幅寸法が大きい採光部に容易に設置可能なスクリーン装置を構成することができる中間ブラケットを提供すること。【解決手段】中間ブラケット４がスクリーン３Ａ、３Ｂの一端を支持する支持突起部４２Ａ、４２Ｂを両側に備えていることで、二つのスクリーン３Ａ、３Ｂを軸方向に並べて支持することができ、幅寸法が大きい採光部Ｏに対して設置するスクリーン装置１の数を減らし、容易に施工することができる。【選択図】図２
2015163752.tif 000002
【特許請求の範囲】
【請求項１】
スクリーンを巻き取り可能に収納するとともに下方に開口したケース体を備えたスクリーン装置に装着可能な中間ブラケットであって、
前記スクリーンの軸方向における両側から突出するとともに当該スクリーンの前記軸方向の一端を支持可能な一対の支持突起部を備えることを特徴とする中間ブラケット。
【請求項２】
前記軸方向に延びる係合凸部を備えた前記ケース体に対し、当該係合凸部と係合可能な係合凹部を備えることを特徴とする請求項１に記載の中間ブラケット。
【請求項３】
前記ケース体に固定されて前記軸方向への移動を規制するブラケット固定部を備えることを特徴とする請求項２に記載の中間ブラケット。
【請求項４】
前記ブラケット固定部の少なくとも下面に当接する金具が設けられていることを特徴とする請求項３に記載の中間ブラケット。
【発明の詳細な説明】
【技術分野】
【０００１】
本発明は、スクリーンを支持する中間ブラケットに関する。
【背景技術】
【０００２】
従来、建物の外壁に形成された採光部の屋外側に設けられるスクリーン装置として、スクリーンを収容した装置本体（スクリーン保持部材）が、採光部に設けられたサッシに固定されるものが提案されている（例えば、特許文献１参照）。特許文献１に記載された従来のスクリーン装置では、サッシに着脱可能な固定部材を介して装置本体が固定されることで、固定作業時の施工性の向上が図られている。
【先行技術文献】
【特許文献】
【０００３】
【特許文献１】特開２００５−９０９６号公報
【発明の概要】
【発明が解決しようとする課題】
【０００４】
しかしながら、特許文献１に記載された従来のスクリーン装置では、スクリーンを製造する際に幅寸法に制約があり、採光部がスクリーンの最大幅寸法よりも大きい場合、スクリーン装置を複数並べて設置しなければならないため、施工が煩雑になるという問題があった。
【０００５】
本発明の目的は、幅寸法が大きい採光部に容易に設置可能なスクリーン装置を構成することができる中間ブラケットを提供することにある。
【課題を解決するための手段】
【０００６】
本発明の中間ブラケットは、スクリーンを巻取り可能に収納するとともに下方に開口したケース体を備えたスクリーン装置に装着可能な中間ブラケットであって、前記スクリーンの軸方向における両側から突出するとともに当該スクリーンの前記軸方向の一端を支持可能な一対の支持突起部を備えることを特徴とする。
【０００７】
以上のような本発明によれば、スクリーンの軸方向の一端を支持可能な支持突起部を両側に備えていることで、このような中間ブラケットをスクリーン装置に装着すれば、二つのスクリーンを軸方向に並べて支持することができ、幅寸法が大きい採光部に対して設置するスクリーン装置の数を減らし、容易に施工することができる。なお、複数の中間ブラケットがスクリーン装置に装着されて三以上のスクリーンが支持されてもよい。
【０００８】
また、中間ブラケットによって両側のスクリーンを個別に引き下げ巻き取り可能に支持することができ、引き下げるスクリーンを適宜選択し、採光量を容易に調節することができる。さらに、採光部のうち人や物が通過する部分に対応したスクリーンのみを引き下げないで（巻き取って）おけば、その他の部分において遮光することができ、人や物の通過時における遮光性の低下を抑制することができる。
【０００９】
この際、本発明の中間ブラケットでは、前記軸方向に延びる係合凸部を備えた前記ケース体に対し、当該係合凸部と係合可能な係合凹部を備えることが好ましい。このような構成によれば、係合凹部と係合凸部とを係合させ、中間ブラケットを容易にケース体に支持させることができる。
【００１０】
さらに、本発明の中間ブラケットでは、前記ケース体に固定されて前記軸方向への移動を規制するブラケット固定部を備えることが好ましい。このような構成によれば、中間ブラケットとケース体とを軸方向に相対移動させ、係合凹部と係合凸部とを係合させるとともに軸方向位置を調節した後に、ブラケット固定部をケース体に固定することで、中間ブラケットをケース体に対して容易に位置決めするととともに位置ずれを防止することができる。また、係合凹部とブラケット固定部とは見込み方向に対向して設けられることが好ましく、このような構成によれば、ケース体によって見込み方向の両側から中間ブラケットを支持し、脱落を防止することができる。
【００１１】
また、本発明の中間ブラケットでは、前記ブラケット固定部の少なくとも下面に当接する金具が設けられていることが好ましい。
【００１２】
このような構成によれば、金具がブラケット固定部の少なくとも下面に当接していることで、ブラケット固定部を下側から補強することができ、中間ブラケットに作用する重力等の下方への力によってブラケット固定部が損傷してしまうことを防止することができる。
【発明の効果】
【００１３】
以上のような本発明の中間ブラケットによれば、スクリーンの軸方向の一端を支持可能な支持突起部を両側に備えていることで、幅寸法が大きい採光部に対して設置するスクリーン装置の数を減らして容易に設置することができる。
【図面の簡単な説明】
【００１４】
【図１】本発明の実施形態に係るスクリーン装置を示す斜視図である。
【図２】前記スクリーン装置のスクリーンを引き下げた様子を示す斜視図である。
【図３】前記スクリーン装置の中間ブラケットを示す斜視図である。
【図４】前記中間ブラケットを前記スクリーン装置のケース体に固定した様子を示す平面図である。
【図５】前記中間ブラケットを前記ケース体に固定した様子を示す側面図である。
【発明を実施するための形態】
【００１５】
以下、本発明の実施形態を図面に基づいて説明する。本実施形態のスクリーン装置１は、図１、２に示すように、建物の外壁Ｅに形成された採光部Ｏの屋外側に設けられるものであって、採光部Ｏの上部に設けられるスクリーン保持部材２と、スクリーン保持部材２から引き下げ可能に設けられた二つのスクリーン３Ａ、３Ｂと、二つのスクリーン３Ａ、３Ｂの間に設けられてスクリーン３Ａ、３Ｂを支持する中間ブラケット４と、スクリーン保持部材２の両端付近に設けられてスクリーン３Ａ、３Ｂをそれぞれ支持する端部支持部材５Ａ、５Ｂと、採光部Ｏの下部に設けられるとともに引き下げられたスクリーン３Ａ、３Ｂの下端部を保持可能に設けられた保持部材６と、を備え、スクリーン３Ａ、３Ｂが図に示す軸方向に並設されている。
【００１６】
採光部Ｏには、引き違い窓が設けられ、この引き違い窓は、図示しない上枠、下枠ＳＢ、及び、左右の縦枠ＳＣを備えた窓枠Ｓと、窓枠Ｓの内側に開閉自在に支持された二枚の障子Ｗと、を有して構成されている。
【００１７】
スクリーン保持部材２は、中間ブラケット４、端部支持部材５Ａ、５Ｂ、及び、巻き取ったスクリーン３Ａ、３Ｂを収容可能なケース体２１と、ケース体２１の軸方向両端の開口を塞ぐキャップ部２２と、ケース体２１を左右の縦枠ＳＣに固定するためのケース体固定部２３と、を備える。
【００１８】
ケース体２１は、例えば軸方向に押し出し成形されたアルミ形材によって構成されるとともに、軸方向両端及び下方に開口して形成され、内側に収容したスクリーン３Ａ、３Ｂや中間ブラケット４、端部支持部材５Ａ、５Ｂを風雨等から保護する。また、ケース体２１の内側には、図５に示すように、中間ブラケット４の後述する係合凹部４１Ａと係合可能な係合凸部２１１が見込み方向の手前側に形成されるとともに、キャップ部２２をケース体２１に固定するためのキャップ被固定部２１２と、中間ブラケット４を固定するためのブラケット被固定部２１３と、が採光部Ｏ側に形成されている。また、ケース体２１の手前側には、中間ブラケット４の後述するブラケット本体４１に下方から当接して支持する下方支持部２１４がさらに形成されている。
【００１９】
係合凸部２１１は、軸方向に延びてケース体２１の両端に亘って設けられるとともに採光部Ｏ側に向かって開口し、軸方向から挿通される固定部材としてのビス７を固定可能なビス固定穴２１１Ａを備える。キャップ被固定部２１２は、係合凸部２１１と略同様にビス固定穴２１２Ａを備える。
【００２０】
ブラケット被固定部２１３は、中間ブラケット４の後述する固定片４１Ｂとともに固定部材組８に挟み込まれることによって、中間ブラケット４がケース体２１に固定されるようになっている。また、ブラケット被固定部２１３は、後述する板状部材８２を上下から挟み込む突出片２１３Ａを有して形成されている。また、ブラケット被固定部２１３は、図５に示すように断面矩形状に形成され、下方に開口して形成されている。
【００２１】
キャップ部２２は、ビス挿通穴に軸方向から挿通されたビス７がケース体２１のビス固定穴２１１Ａ、２１２Ａに固定されることでケース体２１に固定される。また、キャップ部２２の軸方向内側には、端部支持部材５Ａ、５Ｂが固定される。
【００２２】
スクリーン３Ａ、３Ｂは、例えば適宜な防水処理が施された布製のスクリーン本体３０が円筒状の芯材３１に巻き付けられるものであって、それぞれが二枚の障子Ｗの一方と他方とに対応して設けられ、スクリーン本体３０は、上端が芯材３１に固定されるとともに、下端に棒状部材３２が設けられている。棒状部材３２は、上方に開口した凹状に形成され、保持部材６によって係止可能に形成されている。棒状部材３２には操作部３３が設けられており、操作部３３を引き下げることでスクリーン本体３０が引き下げられる。
【００２３】
中間ブラケット４は、例えばＡＥＳ（Acrylonitrile-Ethylene-Styrene）樹脂によって形成され、図３、４に示すように、ケース体２１に固定されるブラケット本体４１と、軸方向両側においてブラケット本体４１から突出した支持突起部４２Ａ、４２Ｂと、を有して構成されている。
【００２４】
ブラケット本体４１は、ケース体２１の係合凸部２１１と係合可能な係合凹部４１Ａと、採光部Ｏ側且つ下側に形成されたブラケット固定部としての固定片４１Ｂと、ケース体２１のキャップ被固定部２１２との干渉を防ぐための切欠き４１Ｃと、下方支持部２１４に対応した切欠きである下方被支持部４１Ｄと、を有して構成されている。
【００２５】
係合凹部４１Ａは、係合凸部２１１の外周面に沿った形状を有するとともに、手前側の開口寸法Ｌ１が係合凸部２１１の外径Ｌ２よりも小さく形成されていることで、軸方向に相対移動することによって係合凸部２１１と係合し、見込み方向や上下方向に沿った力によって係合が解除されないように構成されている。固定片４１Ｂは、ブラケット本体４１から見込み方向採光部Ｏ側に突出し、ブラケット被固定部２１３の下方への開口を塞ぐように下側の突出片２１３Ａの下面に当接可能に形成されている。
【００２６】
支持突起部４２Ａ、４２Ｂは、それぞれ独立にスクリーン３Ａ、３Ｂを支持している。また、支持突起部４２Ａ、４２Ｂの外側には、図３に二点鎖線で示すような摺動部材４３が取り付けられ、摺動部材４３がスクリーン３Ａ、３Ｂの芯材３１の内側に挿通されることでスクリーン３Ａ、３Ｂが支持される。摺動部材４３は、例えばポリアセタールのような表面の摩擦係数が小さい材質で構成されることが好ましいが、支持突起部４２Ａ、４２Ｂと一体に形成されていてもよい。
【００２７】
端部支持部材５Ａ、５Ｂは、キャップ部２２に固定されるとともに、中間ブラケット４と略同様の図示しない支持突起部及び摺動部材が設けられることで、スクリーン保持部材２の軸方向端部においてスクリーン３Ａ、３Ｂの芯材３１を支持する。また、端部支持部材５Ａ、５Ｂには、芯材３１を付勢する図示しないバネ部材が設けられ、芯材３１は、スクリーン本体３０を巻き取る回転方向に付勢されている。
【００２８】
保持部材６は、引き下げられたスクリーン本体３０の下端の棒状部材３２を保持可能な凹状に形成されるとともに下枠ＳＢに固定され、本実施形態においては、各スクリーン３Ａ、３Ｂに対して二つずつ設けられている。また、芯材３１がバネ部材によってスクリーン本体３０を巻き取る方向に付勢されていることから、保持部材６は、棒状部材３２と噛み合うことで付勢力に抗する反力を加えつつ係止する。
【００２９】
次に、中間ブラケット４のケース体２１への固定構造及び固定方法について説明する。まず、ケース体２１の軸方向端部の開口部において、係合凸部２１１と係合凹部４１Ａとを係合させるとともに下方支持部２１４と下方被支持部４１Ｄとが噛み合うようにし、ケース体２１の軸方向略中央部に向かって中間ブラケット４をスライドさせる。次に、中間ブラケット４を軸方向において位置決めしつつ、金具としてのＬ字金具８１と板状部材８２とビス８３とを備えた固定部材組８によって固定片４１Ｂをブラケット被固定部２１３に固定する。即ち、板状部材８２とビス８３とによって固定片４１Ｂ及びブラケット被固定部２１３の下側の突出片２１３Ａを挟み込んで固定する。このとき、ビス８３と固定片４１Ｂとの間に、固定片４１Ｂの下面と、この下面に連続して基端部から立ち上がる面と、の二面に当接するＬ字金具８１も挟み込む。固定部材組８によって固定片４１Ｂとブラケット被固定部２１３とが固定されると、中間ブラケット４とケース体２１との軸方向の相対移動が規制される。
【００３０】
また、中間ブラケット４に下方への力（例えば重力やスクリーン３Ａ、３Ｂを引き下げる力）又は上方への力（例えばスクリーン３Ａ、３Ｂを巻き取る力）が作用すると、この力はビス８３を介して板状部材８２に伝達される。板状部材８２の上下に突出片２１３Ａが設けられていることで、ケース体２１は採光部側において、下側の突出片２１３Ａによって下方への力を受けることができ、上側の突出片２１３Ａによって上方への力を受けることができる。
【００３１】
以上のようにケース体２１に固定された中間ブラケット４は、手前側において係合凸部２１１と係合凹部４１Ａとが係合するとともに、下方被支持部４１Ｄが下方支持部２１４によって支持され、採光部Ｏ側において固定片４１Ｂとブラケット被固定部２１３とが固定部材組８によって固定されている。即ち、中間ブラケット４及びスクリーン３Ａ、３Ｂに作用する下方への力を、下方支持部２１４と、固定片４１Ｂ、ブラケット被固定部２１３、及び、固定部材組８と、によって受け、ケース体２１の下方の開口を大きくしようとする力を、係合凸部２１１及び係合凹部４１Ａと、固定片４１Ｂ及びブラケット被固定部２１３と、によって受けている。
【００３２】
以上のように採光部Ｏの屋外側に固定されたスクリーン装置１では、左側のスクリーン３Ａが左側の端部支持部材５Ａ及び中間ブラケット４の左側の支持突起部４２Ａによって支持され、右側のスクリーン３Ｂが右側の端部支持部材５Ｂ及び右側の支持突起部４２Ｂによって支持されていることで、左右のスクリーン３Ａ、３Ｂは、スクリーン本体３０が各々個別に引き取り巻下げ可能に構成されている。例えば、図２に示すように、左側のスクリーン本体３０のみを引き下げるとともに、右側のスクリーン本体３０を巻き取られた状態とすることができる。さらに、棒状部材３２と保持部材６との係合を解除すると、バネ部材の付勢力によってスクリーン本体３０が自動的に巻き取られる。
【００３３】
このような本実施形態によれば、以下のような効果がある。即ち、中間ブラケット４がスクリーン３Ａ、３Ｂの一端を支持する支持突起部４２Ａ、４２Ｂを両側に備えていることで、二つのスクリーン３Ａ、３Ｂを軸方向に並べて支持することができ、幅寸法が大きい採光部Ｏに対して設置するスクリーン装置１の数を減らし、容易に施工することができる。
【００３４】
さらに、中間ブラケット４によって二つのスクリーン３Ａ、３Ｂのスクリーン本体３０が個別に引き下げ巻き取り可能に支持することができ、スクリーン３Ａ、３Ｂのうち一方のスクリーン本体３０を適宜選択して引き下げることができ、採光量を容易に調節することができる。さらに、二枚の障子Ｗのうち一方を開放して人や物を通過させる際に、対応したスクリーン本体３０のみを引き下げないで（巻き取って）おけば、他方において遮光することができ、遮光性の低下を抑制することができる。
【００３５】
また、ケース体２１が係合凸部２１１、ブラケット被固定部２１３、及び、下方支持部２１４を備え、ブラケット本体４１が係合凹部４１Ａ及び固定片４１Ｂを備えることで、ケース体２１に中間ブラケット４を確実に支持させることができる。さらに、下方の開口が大きくなるようにケース体２１が変形することが防がれ、中間ブラケット４やスクリーン３Ａ、３Ｂの脱落することが防止することができる。さらに、中間ブラケット４を軸方向において容易に位置決めすることができる。また、係合凸部２１１や係合凹部４１Ａが設けられない構成と比較して、ブラケット固定部及びブラケット被固定部による固定箇所を少なくすることができ、これらを固定するための作業を減らして施工時の工数を削減することができる。
【００３６】
さらに、係合凸部２１１が軸方向端部まで延びるとともにビス固定穴２１１Ａを備える、即ち、係合凸部２１１がキャップ部２２用の被固定部として機能することで、係合凸部２１１とは別にキャップ部用の被固定部を設ける必要がなく、簡単な構成でキャップ部２２を固定することができる。
【００３７】
また、中間ブラケット４の固定片４１Ｂがケース体２１のブラケット被固定部２１３に固定されて軸方向の相対移動が規制されることで、中間ブラケット４をケース体２１に対して容易に軸方向に位置決めすることができるとともに位置ずれを防止することができる。
【００３８】
さらに、Ｌ字金具８１が固定片４１Ｂの二面に当接することで、Ｌ字金具８１によって固定片４１Ｂを補強し、下方への力によって固定片４１Ｂが損傷してしまうことを防止することができる。
【００３９】
なお、本発明は、前記実施形態に限定されるものではなく、本発明の目的が達成できる他の構成等を含み、以下に示すような変形等も本発明に含まれる。例えば、前記実施形態では、ケース体２１が係合凸部２１１及び下方支持部２１４を備えるとともにブラケット本体４１が係合凹部４１Ａを備えるものとしたが、係合凸部２１１や係合凹部４１Ａ、下方支持部は省略されていてもよく、ブラケット固定部とブラケット被固定部とがそれぞれ適宜な数だけ設けられることで中間ブラケットがケース体に固定される構成であってもよい。また、係合凸部及び係合凹部と下方支持部とが採光部側に設けられるとともに、ブラケット固定部及びブラケット被固定部が手前側に設けられていてもよく、係合凸部、係合凹部、ブラケット固定部、ブラケット被固定部、下方支持部は、中間ブラケットを支持可能な適宜な位置に設けられていればよい。
【００４０】
また、前記実施形態では、中間ブラケット４の固定片４１Ｂに当接する金具としてのＬ字金具８１が設けられるものとしたが、金具は、固定片の少なくとも下面に当接するものであれば平板状やその他の適宜な形状であってもよく、固定片４１Ｂやその周辺が十分な強度を有していれば、金具は省略されていてもよい。
【００４１】
また、前記実施形態では、係合凸部２１１がケース体２１の軸方向端部まで延びるとともにビス固定穴２１１Ａを備え、ビス７によってキャップ部２２を固定可能に構成されるものとしたが、係合凸部はビスに代えてピン部材が圧入されることでキャップ部を固定可能に構成されていてもよいし、係合凸部が省略されるとともにキャップ部用の被固定部がケース体に設けられていてもよい。
【００４２】
また、前記実施形態では、スクリーン３Ａ、３Ｂの幅方向両端付近にそれぞれ二つの保持部材６が設けられるものとしたが、保持部材の幅方向位置及び個数は任意に設定されていればよい。また、保持部材は省略されてもよく、例えば、巻き取り手段にクラッチ機構が設けられることでスクリーンの引き下げが維持される構成であってもよい。
【００４３】
また、前記実施形態では、窓枠Ｓと二枚の障子Ｗとを備えた引き違い窓が設けられた採光部Ｏを例示したが、採光部には、三枚以上の障子を備えた窓が設けられていてもよいし、窓の開閉形式は特に限定されない。また、採光部は、ドアが設けられた採光部であってもよいし、カーテンウォールやガラスブロック等の採光壁であってもよい。
【００４４】
また、前記実施形態では、スクリーン装置１が外壁Ｅに形成された採光部Ｏの屋外側に設けられるものとしたが、スクリーン装置は外壁に形成された採光部の屋内側に設けられてもよいし、例えば屋内の間仕切り壁に採光部が形成されるとともにスクリーン装置がこの採光部の一方側又は他方側に設けられていてもよく、スクリーン装置を構成する各部材は、設置場所に応じた適宜なものであればよい。
【００４５】
また、前記実施形態では、スクリーン本体３０が布製であるものとしたが、スクリーン本体は、例えば、樹脂製であってもよいし、すだれ状であってもよく、引き下げられて遮光するとともに巻き取り可能に構成されていればよい。
【００４６】
また、前記実施形態では、二つのスクリーン３Ａ、３Ｂが設けられるとともにその間に中間ブラケット４が設けられるものとしたが、スクリーンの数は、採光部の幅寸法や障子の数等に応じて適宜設定されればよく、三以上であってもよい。また、中間ブラケットは、複数のスクリーンのうち任意の二つのスクリーンの間に設けられていればよく、例えば、三つのスクリーンが設けられる場合、中間ブラケットが二箇所に設けられていてもよいし一箇所に設けられていてもよい。
【００４７】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４８】
１          スクリーン装置
３Ａ        スクリーン
３Ｂ        スクリーン
４          中間ブラケット
２１        ケース体
２１１      係合凸部
４２        支持突起部
４１Ａ      係合凹部
４１Ｂ      固定片（ブラケット固定部）
８１        Ｌ字金具（金具）
Ｏ          採光部
【図１】
2015163752.tif 000003
【図２】
2015163752.tif 000004
【図３】
2015163752.tif 000005
【図４】
2015163752.tif 000006
【図５】
2015163752.tif 000007